(57)【要約】【課題】機器の使用認証のために所定位置に置いた端末装置の置き忘れを防止することを課題とする。【解決手段】制御装置は、検出部と、感知部と、判定部と、報知部とを有する。検出部は、端末装置を検出する。感知部は、所定範囲内に存在する人間を感知する。判定部は、端末装置が検出された場合に、所定範囲内において人間が感知されたか否かを判定する。報知部は、所定範囲内において人間が感知されていないと判定された場合に、報知情報を報知する。【選択図】図１
2014179810.tif 000002
【特許請求の範囲】
【請求項１】
端末装置を検出する検出部と、
所定範囲内に存在する人間を感知する感知部と、
前記端末装置が検出された場合に、前記所定範囲内において人間が感知されたか否かを判定する判定部と、
前記所定範囲内において人間が感知されていないと判定された場合に、報知情報を報知する報知部と
を有することを特徴とする制御装置。
【請求項２】
前記報知部は、音の出力及び光の出力の少なくとも一つを制御することにより前記報知情報を報知することを特徴とする請求項１に記載の制御装置。
【請求項３】
前記端末装置から送信された認証情報を利用して機器の使用認証を実行する認証部と、
前記所定範囲内において人間が感知されていないと判定された場合に、前記使用認証を解除する解除部とをさらに有することを特徴とする請求項１又は２に記載の制御装置。
【請求項４】
前記報知部は、前記報知情報を報知する処理を実行させる指示を、前記端末装置に対して行なうことを特徴とする請求項１に記載の制御装置。
【請求項５】
前記所定範囲内において人間が感知されていないと判定された場合に、操作を制限するように前記端末装置に対して指示する指示部をさらに有することを特徴とする請求項１〜４の何れか一つに記載の制御装置。
【請求項６】
前記指示部は、一定時間が経過した場合に、操作を制限するように前記端末装置に対して指示することを特徴とする請求項５に記載の制御装置。
【請求項７】
前記端末装置から送信された認証情報を利用して機器の使用認証を実行する認証部と、
前記使用認証とは異なる用途で前記端末装置との通信が行なわれているか否かを判定する通信判定部と、をさらに有し、
前記報知部は、前記使用認証とは異なる用途で前記端末装置との通信が行なわれていないと判定された場合に、前記報知情報を報知することを特徴とする請求項１、２、５又は６の何れか一つに記載の制御装置。
【請求項８】
前記解除部によって前記使用認証が解除された場合に、前記使用認証が解除されたことを表示部に表示する表示制御部をさらに有することを特徴とする請求項３に記載の制御装置。
【請求項９】
端末装置を検出する検出部と、
所定範囲内に存在する人間を感知する感知部と、
前記端末装置が検出された場合に、前記所定範囲内において人間が感知されたか否かを判定する判定部と、
前記所定範囲内において人間が感知されていないと判定された場合に、報知情報を報知する報知部と
を有することを特徴とする画像形成装置。
【発明の詳細な説明】
【技術分野】
【０００１】
本発明は、制御装置及び画像形成装置に関する。
【背景技術】
【０００２】
近年、携帯電話機やスマートフォン等の個人所有の端末装置を利用して、オフィスや店舗等に設置された機器を利用する様々なサービスが普及している。例えば、サービスは、商品購入時の購入ポイントの付与や、ＭＦＰ（Multi  Function  Printer）等の画像形成装置の利用である。ユーザは、端末装置を所定位置に置き、端末装置の個別識別番号等で機器使用のための認証を行なわせることで、サービスを利用することができる。また、このようなサービスにおいて、認証情報に応じてサービスの利用制限を設ける技術や、画像形成装置から出力された原稿の取り忘れを報知する技術が知られている。
【発明の概要】
【発明が解決しようとする課題】
【０００３】
しかしながら、上述した従来技術では、機器の使用認証のために所定位置に置いた端末装置の置き忘れが発生する可能性があるという問題がある。具体的には、商品購入時に端末装置を利用するケースでは、端末装置を置き忘れないように店員が注意を促すことが多いものの、注意を促すことを忘れてしまう場合もあるため、端末装置の置き忘れが発生する可能性がある。
【０００４】
本発明は、上記に鑑みてなされたものであって、機器の使用認証のために所定位置に置いた端末装置の置き忘れを防止することが可能である制御装置及び画像形成装置を提供することを目的とする。
【課題を解決するための手段】
【０００５】
上述した課題を解決し、目的を達成するため、本発明に係る制御装置は、端末装置を検出する検出部と、所定範囲内に存在する人間を感知する感知部と、前記端末装置が検出された場合に、前記所定範囲内において人間が感知されたか否かを判定する判定部と、前記所定範囲内において人間が感知されていないと判定された場合に、報知情報を報知する報知部とを有する。
【発明の効果】
【０００６】
本発明の一つの様態によれば、機器の使用認証のために所定位置に置いた端末装置の置き忘れを防止することができるという効果を奏する。
【図面の簡単な説明】
【０００７】
【図１】図１は、実施の形態１に係る制御装置の構成例を示すブロック図である。
【図２】図２は、実施の形態１に係る全体処理の流れの例を示すフローチャートである。
【図３】図３は、実施の形態２に係る制御装置の構成例を示すブロック図である。
【図４】図４は、実施の形態２に係る全体処理の流れの例を示すフローチャートである。
【図５】図５は、実施の形態３に係る制御装置の構成例を示すブロック図である。
【図６】図６は、実施の形態３に係る全体処理の流れの例を示すフローチャートである。
【図７】図７は、実施の形態４に係る制御装置の構成例を示すブロック図である。
【図８】図８は、実施の形態４に係る全体処理の流れの例を示すフローチャートである。
【図９】図９は、実施の形態５に係る制御装置の構成例を示すブロック図である。
【図１０】図１０は、実施の形態５に係る全体処理の流れの例を示すフローチャートである。
【図１１】図１１は、実施の形態６に係る制御装置の構成例を示すブロック図である。
【図１２】図１２は、実施の形態６に係る全体処理の流れの例を示すフローチャートである。
【図１３】図１３は、実施の形態７に係る制御装置の構成例を示すブロック図である。
【図１４】図１４は、実施の形態７に係る全体処理の流れの例を示すフローチャートである。
【図１５】図１５は、画像形成装置のハードウェア構成を示すブロック図である。
【発明を実施するための形態】
【０００８】
以下に添付図面を参照して、本発明に係る制御装置及び画像形成装置の実施の形態を説明する。なお、以下の実施の形態により本発明が限定されるものではない。また、各実施の形態は、内容を矛盾させない範囲で適宜組み合わせることが可能である。
【０００９】
（実施の形態１）
［実施の形態１に係る装置構成］
図１を用いて、実施の形態１に係る制御装置の構成を説明する。図１は、実施の形態１に係る制御装置の構成例を示すブロック図である。なお、本実施の形態では、機器を利用するサービスの一つの様態として画像形成装置を例に挙げ、制御装置を有する画像形成装置をユーザが利用する場合を説明する。
【００１０】
図１に示すように、制御装置２００は、非接触通信部３００を有する。また、非接触通信部３００は、ＣＰＵ（Central  Processing  Unit）３１０と、アンテナ３２０と、感知部３３０と、ブザー３４０とを有する。これらのうち、ＣＰＵ３１０は、ポーリング部３１１と、判定部３１２と、報知部３１３とを有する。また、制御装置２００は、画像形成装置１００に含まれる。
【００１１】
かかる画像形成装置１００は、コピー機能、プリンタ機能、スキャナ機能及びファクシミリ機能のうち、少なくとも２つの機能を有するＭＦＰ（Multi  Function  Printer：複合機）である。若しくは、画像形成装置１００は、複写機、プリンタ、スキャナ装置、ファクシミリ装置等の画像形成装置であっても良い。ユーザは、自身が所有する携帯電話機等の端末装置を所定位置に置く。これにより、画像形成装置１００を使用するための使用認証が行なわれる。使用認証については、公知の技術で行なわれれば良い。このため、本実施の形態では、使用認証に係る構成についての説明は省略する。
【００１２】
非接触通信部３００は、所定位置に置かれた端末装置と非接触で通信を行なう。ＣＰＵ３１０は、制御装置２００による非接触通信処理を制御するプロセッサである。ポーリング部３１１は、ポーリングを実行する。より具体的には、ポーリング部３１１は、画像形成装置１００の使用認証で利用される端末装置が所定位置に置かれていることを検出するために、アンテナ３２０を介して、任意のタイミングで信号を送信する。ポーリング実行のトリガは、例えば、画像形成装置１００の電源が投入された場合である。つまり、ポーリング部３１１は、画像形成装置１００の電源が投入された後、任意のタイミングで信号の送信を試みる。
【００１３】
そして、ポーリング部３１１は、送信した信号に対し、端末装置からの応答信号を受信することで、端末装置が所定位置に置かれていることを検出する。その後、ポーリング部３１１は、端末装置からの応答信号を受信した場合に、端末装置が所定位置に置かれていることを検出したものとして、検出したことを表す検出信号を判定部３１２に対して出力する。なお、ポーリング部３１１は、検出部の一例であり、端末装置を検出することができれば、ポーリングによって実現されなくても良い。
【００１４】
感知部３３０は、所定範囲内に存在する人間を感知する人感センサである。ここで、所定範囲とは、画像形成装置１００の操作や画像形成装置１００による処理の処理待ち等の状況で、画像形成装置１００を使用するユーザが存在すると考えられる範囲である。このような所定範囲は、画像形成装置１００の位置の近傍になることが多い。より具体的には、感知部３３０は、画像形成装置１００に近傍の所定範囲内に存在する人間の感知を試みて、人間を感知した場合に、感知したことを表す感知信号を判定部３１２に対して出力する。
【００１５】
判定部３１２は、所定範囲内に人間が存在するか否かを判定する。より具体的には、判定部３１２は、ポーリング部３１１によって出力された検出信号をトリガに、感知部３３０からの感知信号の受信待ちの状態に移行する。感知信号の受信待ちの状態は、画像形成装置１００の認証が解除された場合に解除される。すなわち、感知信号の受信待ちの状態は、ユーザがサービスの利用を終了した場合や画像形成装置１００の電源が切断された場合等に解除され得る。そして、判定部３１２は、感知部３３０から感知信号が出力されない場合に、所定範囲内に人間が存在しないと判定する。その後、判定部３１２は、所定範囲内に人間が存在しないことを表す信号を報知部３１３に対して出力する。一方、判定部３１２は、感知部３３０から感知信号が出力された場合に、所定範囲内に人間が存在すると判定する。判定部３１２は、所定範囲内に人間が存在すると判定した場合には報知部３１３に対する信号の出力を行なわない。
【００１６】
報知部３１３は、報知情報を報知する。より具体的には、報知部３１３は、判定部３１２によって所定範囲内に人間が存在しないと判定されたことにより、所定範囲内に人間が存在しないことを表す信号が出力された場合に、ブザー３４０を作動させる制御を行なう。つまり、ブザー３４０による音の出力は、報知情報の一例である。ブザー３４０は、報知部３１３による制御にしたがって音（警告音）を出力する。つまり、報知部３１３は、ブザー３４０を作動させ、警告音を出力させることにより、端末装置が所定位置に置き忘れられていることを、画像形成装置１００を利用するユーザや周囲に居る人間に報知する。
【００１７】
［実施の形態１に係る全体処理フロー］
次に、図２を用いて、実施の形態１に係る全体処理の流れについて説明する。図２は、実施の形態１に係る全体処理の流れの例を示すフローチャートである。
【００１８】
図２に示すように、ポーリング部３１１は、画像形成装置１００の電源が投入された場合に（ステップＳ１０１：Ｙｅｓ）、アンテナ３２０を介してポーリングを実行する（ステップＳ１０２）。また、画像形成装置１００の電源が投入されない場合には（ステップＳ１０１：Ｎｏ）、電源投入待ちの状態となる。
【００１９】
そして、ポーリング部３１１は、ポーリングの実行によって、端末装置から応答信号を受信したか否かを判定する（ステップＳ１０３）。このとき、ポーリング部３１１は、ポーリングに対する応答信号を受信したと判定した場合に（ステップＳ１０３：Ｙｅｓ）、検出信号を判定部３１２に対して出力する。感知部３３０は、所定範囲内に存在する人間の感知を試みて、人間を感知できた場合に、感知信号を判定部３１２に対して出力する（ステップＳ１０４）。
【００２０】
ポーリング部３１１から検出信号を受け付けた判定部３１２は、感知部３３０から感知信号を受け付けたか否かにより、人間が感知されたか否かを判定する（ステップＳ１０５）。このとき、判定部３１２は、人間が感知されていないと判定した場合に（ステップＳ１０５：Ｎｏ）、所定範囲内に人間が存在しないことを表す信号を報知部３１３に対して出力する。報知部３１３は、判定部３１２からの信号を受け付けて、ブザー３４０を作動させる制御を行なうことにより、警告音を出力する（ステップＳ１０６）。
【００２１】
また、ポーリング部３１１によって端末装置から応答信号が受信されないと判定された場合（ステップＳ１０３：Ｎｏ）や、判定部３１２によって人間が感知されたと判定された場合（ステップＳ１０５：Ｙｅｓ）には、ステップＳ１０２の処理が再度実行される。
【００２２】
［実施の形態１による効果］
上述したように、制御装置２００は、画像形成装置１００の使用認証のために利用された端末装置が所定位置に置かれている場合に、所定範囲内に人間が存在しなければ、端末装置が置き忘れられていることを警告音により報知する。この結果、制御装置２００は、機器の使用認証のために所定位置に置かれた端末装置の置き忘れを防止することができる。
【００２３】
（実施の形態２）
上記実施の形態１では、端末装置が所定位置に置かれた状態において、所定範囲内に人間が存在しない場合に、端末装置が置き忘れられていることを、警告音を出力することで報知する場合を説明した。実施の形態２では、端末装置が置き忘れられていることを、光の出力により報知する場合を説明する。
【００２４】
［実施の形態２に係る装置構成］
図３を用いて、実施の形態２に係る制御装置の構成を説明する。図３は、実施の形態２に係る制御装置の構成例を示すブロック図である。実施の形態２では、実施の形態１と同様の構成については同一の符号を付し、同様の構成については詳細な説明を省略する場合がある。具体的には、以下に示すポーリング部３１１、アンテナ３２０、感知部３３０以外の機能及び構成、処理が実施の形態１とは異なる。なお、実施の形態２では、実施の形態１と同様に、機器を利用するサービスの一つの様態として画像形成装置を例に挙げ、制御装置を有する画像形成装置をユーザが利用する場合を説明する。
【００２５】
図３に示すように、制御装置２００ａは、非接触通信部３００ａと、状態表示ランプ制御部４００ａとを有する。また、非接触通信部３００ａは、ＣＰＵ３１０ａと、アンテナ３２０と、感知部３３０とを有する。これらのうち、ＣＰＵ３１０ａは、ポーリング部３１１と、判定部３１２ａとを有する。また、状態表示ランプ制御部４００ａは、ＣＰＵ４１０ａと、ブザー４２０ａと、ＬＥＤ（Light  Emitting  Diode）４３０ａとを有する。これらのうち、ＣＰＵ４１０ａは、報知部４１１ａを有する。また、制御装置２００ａは、画像形成装置１００ａに含まれる。
【００２６】
かかる画像形成装置１００ａは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ａを使用するための使用認証が行なわれる。
【００２７】
非接触通信部３００ａは、所定位置に置かれた端末装置と非接触で通信を行なう。ＣＰＵ３１０ａは、制御装置２００ａによる非接触通信処理を制御するプロセッサである。上述したように、ポーリング部３１１、アンテナ３２０、感知部３３０による処理は、実施の形態１と同様である。また、判定部３１２ａによる処理については、所定範囲内に人間が存在しないことを表す信号を、後述する報知部４１１ａに対して出力するところが実施の形態１とは異なる。かかる報知部４１１ａは、実施の形態１とは異なり、非接触通信部３００ａに含まれていない。
【００２８】
具体的には、判定部３１２ａは、ポーリング部３１１によって出力された検出信号をトリガに、感知部３３０からの感知信号の受信待ちの状態に移行する。感知信号の受信待ちの状態は、画像形成装置１００ａの認証が解除された場合に解除される。すなわち、感知信号の受信待ちの状態は、ユーザがサービスの利用を終了した場合や画像形成装置１００ａの電源が切断された場合等に解除され得る。そして、判定部３１２ａは、感知部３３０から感知信号が出力されない場合に、所定範囲内に人間が存在しないと判定する。その後、判定部３１２ａは、所定範囲内に人間が存在しないことを表す信号を、報知部４１１ａに対して出力する。一方、判定部３１２ａは、感知部３３０から感知信号が出力された場合に、所定範囲内に人間が存在すると判定する。判定部３１２ａは、所定範囲内に人間が存在すると判定した場合には報知部４１１ａに対する信号の出力を行なわない。
【００２９】
状態表示ランプ制御部４００ａは、端末装置の置き忘れに関する状態を表示するランプの制御を行なう。ＣＰＵ４１０ａは、制御装置２００ａによる状態表示ランプ制御処理を制御するプロセッサである。報知部４１１ａは、端末装置が所定位置に置き忘れられていることを報知する。より具体的には、報知部４１１ａは、判定部３１２ａによって所定範囲内に人間が存在しないと判定されたことにより、所定範囲内に人間が存在しないことを表す信号が出力された場合に、ブザー４２０ａ及びＬＥＤ４３０ａを作動させる制御を行なう。つまり、報知部４１１ａは、ブザー４２０ａを作動させて警告音を出力させるとともに、ＬＥＤ４３０ａを作動させて点灯させることにより、端末装置が所定位置に置き忘れられていることを、画像形成装置１００ａを利用するユーザや周囲に居る人間に報知する。ＬＥＤ４３０ａによる光の出力は、報知情報の一例である。なお、実施の形態２に係る報知は、ブザー４２０ａの作動、及びＬＥＤ４３０ａの作動の少なくとも一つを機能させれば良い。また、ＬＥＤ４３０ａによるランプは、点灯ではなく点滅させるようにしても良く、点灯や点滅の色についても任意に設定可能である。
【００３０】
［実施の形態２に係る全体処理フロー］
次に、図４を用いて、実施の形態２に係る全体処理の流れについて説明する。図４は、実施の形態２に係る全体処理の流れの例を示すフローチャートである。
【００３１】
図４に示すように、ポーリング部３１１は、画像形成装置１００ａの電源が投入された場合に（ステップＳ２０１：Ｙｅｓ）、アンテナ３２０を介してポーリングを実行する（ステップＳ２０２）。また、画像形成装置１００ａの電源が投入されない場合には（ステップＳ２０１：Ｎｏ）、電源投入待ちの状態となる。
【００３２】
そして、ポーリング部３１１は、ポーリングの実行によって、端末装置から応答信号を受信したか否かを判定する（ステップＳ２０３）。このとき、ポーリング部３１１は、端末装置から応答信号を受信したと判定した場合に（ステップＳ２０３：Ｙｅｓ）、検出信号を判定部３１２ａに対して出力する。感知部３３０は、所定範囲内に存在する人間の感知を試みて、人間を感知できた場合に、感知信号を判定部３１２ａに対して出力する（ステップＳ２０４）。
【００３３】
ポーリング部３１１から検出信号を受け付けた判定部３１２ａは、感知部３３０から感知信号を受け付けたか否かにより、人間が感知されたか否かを判定する（ステップＳ２０５）。このとき、判定部３１２ａは、人間が感知されていないと判定した場合に（ステップＳ２０５：Ｎｏ）、所定範囲内に人間が存在しないことを表す信号を報知部４１１ａに対して出力する。報知部４１１ａは、判定部３１２ａからの信号を受け付けて、ブザー４２０ａ及びＬＥＤ４３０ａを作動させる制御を行なうことにより、ブザー４２０ａから警告音を出力させたりＬＥＤ４３０ａを点灯させたりする（ステップＳ２０６）。
【００３４】
また、ポーリング部３１１によって端末装置から応答信号が受信されないと判定された場合（ステップＳ２０３：Ｎｏ）や、判定部３１２ａによって人間が感知されたと判定された場合（ステップＳ２０５：Ｙｅｓ）には、ステップＳ２０２の処理が再度実行される。
【００３５】
［実施の形態２による効果］
上述したように、制御装置２００ａは、画像形成装置１００ａの使用認証のために利用された端末装置が所定位置に置かれている場合に、所定範囲内に人間が存在しなければ、端末装置が置き忘れられていることを警告音やランプの点灯により報知する。この結果、制御装置２００ａは、機器の使用認証のために所定位置に置いた端末装置の置き忘れを防止することができる。
【００３６】
（実施の形態３）
上記実施の形態１では、端末装置が所定位置に置かれた状態において、所定範囲内に人間が存在しない場合に、端末装置が置き忘れられていることを、警告音を出力することで報知する場合を説明した。実施の形態３では、端末装置が置き忘れられていることを警告音の出力により報知するとともに、機器の使用認証を解除する場合を説明する。
【００３７】
［実施の形態３に係る装置構成］
図５を用いて、実施の形態３に係る制御装置の構成を説明する。図５は、実施の形態３に係る制御装置の構成例を示すブロック図である。実施の形態３では、実施の形態１と同様の構成については同一の符号を付し、同様の構成については詳細な説明を省略する場合がある。具体的には、以下に示すポーリング部３１１、報知部３１３、アンテナ３２０、感知部３３０、ブザー３４０以外の機能及び構成、処理が実施の形態１とは異なる。なお、実施の形態３では、実施の形態１と同様に、機器を利用するサービスの一つの様態として画像形成装置を例に挙げ、制御装置を有する画像形成装置をユーザが利用する場合を説明する。
【００３８】
図５に示すように、制御装置２００ｂは、非接触通信部３００ｂと、コントローラ部５００ｂとを有する。また、非接触通信部３００ｂは、ＣＰＵ３１０ｂと、アンテナ３２０と、感知部３３０と、ブザー３４０とを有する。これらのうち、ＣＰＵ３１０ｂは、ポーリング部３１１と、判定部３１２ｂと、報知部３１３とを有する。また、コントローラ部５００ｂは、ＣＰＵ５１０ｂと、ＬＣＤ（Liquid  Crystal  Display）５２０ｂとを有する。これらのうち、ＣＰＵ５１０ｂは、解除部５１１ｂと、表示制御部５１２ｂと、認証部５１３ｂとを有する。また、制御装置２００ｂは、画像形成装置１００ｂに含まれる。
【００３９】
かかる画像形成装置１００ｂは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ｂを使用するための使用認証が行なわれる。なお、ＬＣＤ５２０ｂについては、画像形成装置１００ｂに搭載されたオペレーションパネル等の操作表示部を利用しても良い。
【００４０】
非接触通信部３００ｂは、所定位置に置かれた端末装置と非接触で通信を行なう。ＣＰＵ３１０ｂは、制御装置２００ｂによる非接触通信処理を制御するプロセッサである。上述したように、ポーリング部３１１、報知部３１３、アンテナ３２０、感知部３３０、ブザー３４０による処理は、実施の形態１と同様である。また、判定部３１２ｂによる処理については、所定範囲内に人間が存在しないことを表す信号を、後述する解除部５１１ｂに対して出力するところが実施の形態１とは異なる。
【００４１】
具体的には、判定部３１２ｂは、ポーリング部３１１によって出力された検出信号をトリガに、感知部３３０からの感知信号の受信待ちの状態に移行する。感知信号の受信待ちの状態は、画像形成装置１００ｂの認証が解除された場合に解除される。すなわち、感知信号の受信待ちの状態は、ユーザがサービスの利用を終了した場合や画像形成装置１００ｂの電源が切断された場合等に解除され得る。そして、判定部３１２ｂは、感知部３３０から感知信号が出力されない場合に、所定範囲内に人間が存在しないと判定する。その後、判定部３１２ｂは、所定範囲内に人間が存在しないことを表す信号を、報知部３１３に対して出力するとともに、解除部５１１ｂに対して出力する。一方、判定部３１２ｂは、感知部３３０から感知信号が出力された場合に、所定範囲内に人間が存在すると判定する。判定部３１２ｂは、所定範囲内に人間が存在すると判定した場合には報知部３１３と解除部５１１ｂとに対する信号の出力を行なわない。
【００４２】
コントローラ部５００ｂは、画像形成装置１００ｂの使用認証の認証や解除の制御を行なう。ＣＰＵ５１０ｂは、制御装置２００ｂによる使用認証の認証処理や、使用認証解除処理を制御するプロセッサである。認証部５１３ｂは、端末装置から送信された認証情報を利用して画像形成装置１００ｂの使用認証を実行する。上述したように、使用認証については公知の技術で行なわれれば良い。解除部５１１ｂは、画像形成装置１００ｂの使用認証を解除する。より具体的には、解除部５１１ｂは、判定部３１２ｂによって所定範囲内に人間が存在しないと判定されたことにより、所定範囲内に人間が存在しないことを表す信号が出力された場合に、端末装置に対する画像形成装置１００ｂの認証を解除する。これにより、画像形成装置１００ｂによるサービスが停止されるため、ユーザは、画像形成装置１００ｂを利用するサービスを受けられなくなる。そして、解除部５１１ｂは、端末装置に対する画像形成装置１００ｂの認証を解除したことを表す信号を表示制御部５１２ｂに対して出力する。
【００４３】
表示制御部５１２ｂは、ＬＣＤ５２０ｂが表示する画面の制御を行なう。より具体的には、表示制御部５１２ｂは、解除部５１１ｂによって、端末装置に対する画像形成装置１００ｂの認証を解除したことを表す信号が出力された場合に、認証を解除した旨のメッセージ画面を生成する。そして、表示制御部５１２ｂは、生成したメッセージ画面をＬＣＤ５２０ｂに表示する制御を行なう。
【００４４】
［実施の形態３に係る全体処理フロー］
次に、図６を用いて、実施の形態３に係る全体処理の流れについて説明する。図６は、実施の形態３に係る全体処理の流れの例を示すフローチャートである。
【００４５】
図６に示すように、ポーリング部３１１は、画像形成装置１００ｂの電源が投入された場合に（ステップＳ３０１：Ｙｅｓ）、アンテナ３２０を介してポーリングを実行する（ステップＳ３０２）。また、画像形成装置１００ｂの電源が投入されない場合には（ステップＳ３０１：Ｎｏ）、電源投入待ちの状態となる。
【００４６】
そして、ポーリング部３１１は、ポーリングの実行によって、端末装置から応答信号を受信したか否かを判定する（ステップＳ３０３）。このとき、ポーリング部３１１は、端末装置から応答信号を受信したと判定した場合に（ステップＳ３０３：Ｙｅｓ）、検出信号を判定部３１２ｂに対して出力する。感知部３３０は、所定範囲内に存在する人間の感知を試みて、人間を感知できた場合に、感知信号を判定部３１２ｂに対して出力する（ステップＳ３０４）。
【００４７】
ポーリング部３１１から検出信号を受け付けた判定部３１２ｂは、感知部３３０から感知信号を受け付けたか否かにより、人間が感知されたか否かを判定する（ステップＳ３０５）。このとき、判定部３１２ｂは、人間が感知されていないと判定した場合に（ステップＳ３０５：Ｎｏ）、所定範囲内に人間が存在しないことを表す信号を報知部３１３に対して出力するとともに、解除部５１１ｂに対して出力する。報知部３１３は、判定部３１２ｂからの信号を受け付けて、ブザー３４０を作動させる制御を行なうことにより、警告音を出力する（ステップＳ３０６）。
【００４８】
また、解除部５１１ｂは、判定部３１２ｂからの信号を受け付けて、端末装置に対する画像形成装置１００ｂの認証を解除する（ステップＳ３０７）。そして、解除部５１１ｂは、画像形成装置１００ｂの認証を解除したことを表す信号を表示制御部５１２ｂに対して出力する。表示制御部５１２ｂは、解除部５１１ｂからの信号を受け付けて、認証を解除した旨のメッセージ画面を生成し、生成したメッセージ画面をＬＣＤ５２０ｂに表示する制御を行なう（ステップＳ３０８）。
【００４９】
また、ポーリング部３１１によって端末装置から応答信号が受信されないと判定された場合（ステップＳ３０３：Ｎｏ）や、判定部３１２ｂによって人間が感知されたと判定された場合（ステップＳ３０５：Ｙｅｓ）には、ステップＳ３０２の処理が再度実行される。
【００５０】
［実施の形態３による効果］
上述したように、制御装置２００ｂは、画像形成装置１００ｂの使用認証のために利用された端末装置が所定位置に置かれている場合に、所定範囲内に人間が存在しなければ、端末装置が置き忘れられていることを警告音により報知する。また、制御装置２００ｂは、警告音による報知とともに、端末装置に対する画像形成装置１００ｂの認証を解除する。これらの結果、制御装置２００ｂは、機器の使用認証のために所定位置に置いた端末装置の置き忘れを防止することができるとともに、端末装置の所有者とは異なるユーザが不正にサービスを利用することを防止することができる。
【００５１】
（実施の形態４）
上記実施の形態１では、端末装置が所定位置に置かれた状態において、所定範囲内に人間が存在しない場合に、端末装置が置き忘れられていることを、警告音を出力することで報知する場合を説明した。実施の形態４では、端末装置が置き忘れられていることを光の出力により報知するとともに、機器の使用認証を解除する場合を説明する。
【００５２】
［実施の形態４に係る装置構成］
図７を用いて、実施の形態４に係る制御装置の構成を説明する。図７は、実施の形態４に係る制御装置の構成例を示すブロック図である。実施の形態４では、実施の形態１、実施の形態２、実施の形態３と同様の構成については同一の符号を付し、同様の構成については詳細な説明を省略する場合がある。具体的には、以下に示す非接触通信部３００ａ及び状態表示ランプ制御部４００ａは実施の形態２と同様の構成であり、コントローラ部５００ｂは、実施の形態３と同様の構成である。なお、実施の形態４では、実施の形態１と同様に、機器を利用するサービスの一つの様態として画像形成装置を例に挙げ、制御装置を有する画像形成装置をユーザが利用する場合を説明する。
【００５３】
図７に示すように、制御装置２００ｃは、非接触通信部３００ａと、状態表示ランプ制御部４００ａと、コントローラ部５００ｂとを有する。また、非接触通信部３００ａは、ＣＰＵ３１０ａと、アンテナ３２０と、感知部３３０とを有する。これらのうち、ＣＰＵ３１０ａは、ポーリング部３１１と、判定部３１２ａとを有する。また、状態表示ランプ制御部４００ａは、ＣＰＵ４１０ａと、ブザー４２０ａと、ＬＥＤ４３０ａとを有する。これらのうち、ＣＰＵ４１０ａは、報知部４１１ａを有する。また、コントローラ部５００ｂは、ＣＰＵ５１０ｂと、ＬＣＤ５２０ｂとを有する。これらのうち、ＣＰＵ５１０ｂは、解除部５１１ｂと、表示制御部５１２ｂと、認証部５１３ｂとを有する。
【００５４】
かかる画像形成装置１００ｃは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ｃを使用するための使用認証が行なわれる。なお、ＬＣＤ５２０ｂについては、画像形成装置１００ｃに搭載されたオペレーションパネル等の操作表示部を利用しても良い。
【００５５】
上述したように、画像形成装置１００ｃに含まれる制御装置２００ｃは、実施の形態２に係る非接触通信部３００ａ及び状態表示ランプ制御部４００ａと、実施の形態３に係るコントローラ部５００ｂとを有する。これらにより、制御装置２００ｃは、画像形成装置１００ｃの使用認証のために利用された端末装置が所定位置に置かれている場合に、所定範囲内に人間が存在しなければ、端末装置が置き忘れられていることを警告音やランプの点灯により報知する。また、制御装置２００ｃは、警告音やランプの点灯による報知とともに、端末装置に対する画像形成装置１００ｃの認証を解除する。
【００５６】
［実施の形態４に係る全体処理フロー］
次に、図８を用いて、実施の形態４に係る全体処理の流れについて説明する。図８は、実施の形態４に係る全体処理の流れの例を示すフローチャートである。
【００５７】
図８に示すように、ポーリング部３１１は、画像形成装置１００ｃの電源が投入された場合に（ステップＳ４０１：Ｙｅｓ）、アンテナ３２０を介してポーリングを実行する（ステップＳ４０２）。また、画像形成装置１００ｃの電源が投入されない場合には（ステップＳ４０１：Ｎｏ）、電源投入待ちの状態となる。
【００５８】
そして、ポーリング部３１１は、ポーリングの実行によって、端末装置から応答信号を受信したか否かを判定する（ステップＳ４０３）。このとき、ポーリング部３１１は、端末装置から応答信号を受信したと判定した場合に（ステップＳ４０３：Ｙｅｓ）、検出信号を判定部３１２ａに対して出力する。感知部３３０は、所定範囲内に存在する人間の感知を試みて、人間を感知できた場合に、感知信号を判定部３１２ａに対して出力する（ステップＳ４０４）。
【００５９】
ポーリング部３１１から検出信号を受け付けた判定部３１２ａは、感知部３３０から感知信号を受け付けたか否かにより、人間が感知されたか否かを判定する（ステップＳ４０５）。このとき、判定部３１２ａは、人間が感知されていないと判定した場合に（ステップＳ４０５：Ｎｏ）、所定範囲内に人間が存在しないことを表す信号を報知部４１１ａに対して出力するとともに、解除部５１１ｂに対して出力する。報知部４１１ａは、判定部３１２ａからの信号を受け付けて、ブザー４２０ａ及びＬＥＤ４３０ａを作動させる制御を行なうことにより、ブザー４２０ａから警告音を出力させたりＬＥＤ４３０ａを点灯させたりする（ステップＳ４０６）。
【００６０】
また、解除部５１１ｂは、判定部３１２ａからの信号を受け付けて、端末装置に対する画像形成装置１００ｃの認証を解除する（ステップＳ４０７）。そして、解除部５１１ｂは、画像形成装置１００ｃの認証を解除したことを表す信号を表示制御部５１２ｂに対して出力する。表示制御部５１２ｂは、解除部５１１ｂからの信号を受け付けて、認証を解除した旨のメッセージ画面を生成し、生成したメッセージ画面をＬＣＤ５２０ｂに表示する制御を行なう（ステップＳ４０８）。
【００６１】
また、ポーリング部３１１によって端末装置から応答信号が受信されたと判定された場合（ステップＳ４０３：Ｎｏ）や、判定部３１２ａによって人間が感知されたと判定された場合（ステップＳ４０５：Ｙｅｓ）には、ステップＳ４０２の処理が再度実行される。
【００６２】
［実施の形態４による効果］
上述したように、制御装置２００ｃは、端末装置が置き忘れられていることを警告音やランプの点灯によって報知するとともに、画像形成装置１００ｃの認証を解除する。この結果、制御装置２００ｃは、機器の使用認証のために所定位置に置いた端末装置の置き忘れを防止することができるとともに、端末装置の所有者とは異なるユーザが不正にサービスを利用することを防止することができる。
【００６３】
（実施の形態５）
上記実施の形態１では、端末装置が所定位置に置かれた状態において、所定範囲内に人間が存在しない場合に、端末装置が置き忘れられていることを、警告音を出力することで報知する場合を説明した。実施の形態５では、端末装置が置き忘れられていることの報知を、端末装置に報知させる場合を説明する。
【００６４】
［実施の形態５に係る装置構成］
図９を用いて、実施の形態５に係る制御装置の構成を説明する。図９は、実施の形態５に係る制御装置の構成例を示すブロック図である。実施の形態５では、実施の形態１と同様の構成については同一の符号を付し、同様の構成については詳細な説明を省略する場合がある。具体的には、以下に示すポーリング部３１１、判定部３１２、感知部３３０以外の機能及び構成、処理が実施の形態１とは異なる。また、実施の形態５では、端末装置に報知させるため、ブザー３４０は制御装置２００ｄに含まれない。なお、実施の形態５では、実施の形態１と同様に、機器を利用するサービスの一つの様態として画像形成装置を例に挙げ、制御装置を有する画像形成装置をユーザが利用する場合を説明する。
【００６５】
図９に示すように、制御装置２００ｄは、非接触通信部３００ｄを有する。また、非接触通信部３００ｄは、ＣＰＵ３１０ｄと、アンテナ３２０ｄと、感知部３３０とを有する。これらのうち、ＣＰＵ３１０ｄは、ポーリング部３１１と、判定部３１２と、報知部３１３ｄとを有する。また、制御装置２００ｄは、画像形成装置１００ｄに含まれる。
【００６６】
かかる画像形成装置１００ｄは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ｄを使用するための使用認証が行なわれる。
【００６７】
非接触通信部３００ｄは、所定位置に置かれた端末装置と非接触で通信を行なう。ＣＰＵ３１０ｄは、制御装置２００ｄによる非接触通信処理を制御するプロセッサである。上述したように、ポーリング部３１１、判定部３１２、感知部３３０による処理は、実施の形態１と同様である。また、アンテナ３２０ｄについても、ポーリング部３１１がアンテナ３２０ｄを介してポーリングを実行することは同様である。以下では、報知部３１３ｄと、実施の形態１とは異なるアンテナ３２０ｄによる処理について説明する。
【００６８】
報知部３１３ｄは、端末装置が置き忘れられていることを報知する処理を実行させるための指示を該端末装置に対して行なう。より具体的には、報知部３１３ｄは、判定部３１２によって所定範囲内に人間が存在しないと判定されたことにより、所定範囲内に人間が存在しないことを表す信号が出力された場合に、アンテナ３２０ｄを介して、端末装置に対して報知処理実行の指示を行なう。これにより、報知処理実行の指示を受け付けた端末装置は、警告音を出力する。すなわち、実施の形態５では、警告音の出力を端末装置に行なわせることで、端末装置が所定位置に置き忘れられていることを、画像形成装置１００ｄを利用するユーザや周囲に居る人間に報知する。
【００６９】
［実施の形態５に係る全体処理フロー］
次に、図１０を用いて、実施の形態５に係る全体処理の流れについて説明する。図１０は、実施の形態５に係る全体処理の流れの例を示すフローチャートである。
【００７０】
図１０に示すように、ポーリング部３１１は、画像形成装置１００ｄの電源が投入された場合に（ステップＳ５０１：Ｙｅｓ）、アンテナ３２０ｄを介してポーリングを実行する（ステップＳ５０２）。また、画像形成装置１００ｄの電源が投入されない場合には（ステップＳ５０１：Ｎｏ）、電源投入待ちの状態となる。
【００７１】
そして、ポーリング部３１１は、ポーリングの実行によって、端末装置から応答信号を受信したか否かを判定する（ステップＳ５０３）。このとき、ポーリング部３１１は、端末装置から応答信号を受信したと判定した場合に（ステップＳ５０３：Ｙｅｓ）、検出信号を判定部３１２に対して出力する。感知部３３０は、所定範囲内に存在する人間の感知を試みて、人間を感知できた場合に、感知信号を判定部３１２に対して出力する（ステップＳ５０４）。
【００７２】
ポーリング部３１１から検出信号を受け付けた判定部３１２は、感知部３３０から感知信号を受け付けたか否かにより、人間が感知されたか否かを判定する（ステップＳ５０５）。このとき、判定部３１２は、人間が感知されていないと判定した場合に（ステップＳ５０５：Ｎｏ）、所定範囲内に人間が存在しないことを表す信号を報知部３１３ｄに対して出力する。報知部３１３ｄは、判定部３１２からの信号を受け付けて、アンテナ３２０ｄを介して、端末装置に対して報知処理実行の指示を行なう（ステップＳ５０６）。これにより、報知処理実行の指示を受け付けた端末装置は、警告音を出力することにより、端末装置が所定位置に置き忘れられていることを、画像形成装置１００ｄを利用するユーザや周囲に居る人間に報知する。
【００７３】
また、ポーリング部３１１によって端末装置から応答信号が受信されたと判定された場合（ステップＳ５０３：Ｎｏ）や、判定部３１２によって人間が感知されたと判定された場合（ステップＳ５０５：Ｙｅｓ）には、ステップＳ５０２の処理が再度実行される。
【００７４】
［実施の形態５による効果］
上述したように、制御装置２００ｄは、画像形成装置１００ｄの使用認証のために利用された端末装置が所定位置に置かれている場合に、所定範囲内に人間が存在しなければ、端末装置が置き忘れられていることを、端末装置に報知させる指示を行なう。この結果、制御装置２００ｄは、機器の使用認証のために所定位置に置かれた端末装置の置き忘れを防止することができる。また、制御装置２００ｄは、端末装置の所有者であるユーザが聞き慣れている警告音を出力させることで、端末装置を置き忘れていることを所有者であるユーザに迅速に報知することができる。
【００７５】
（実施の形態６）
上記実施の形態１では、端末装置が所定位置に置かれた状態において、所定範囲内に人間が存在しない場合に、端末装置が置き忘れられていることを、警告音を出力することで報知する場合を説明した。実施の形態６では、所定位置に置かれた端末装置の用途に応じて、警告音を出力する場合を説明する。
【００７６】
［実施の形態６に係る装置構成］
図１１を用いて、実施の形態６に係る制御装置の構成を説明する。図１１は、実施の形態６に係る制御装置の構成例を示すブロック図である。実施の形態６では、実施の形態１と同様の構成については同一の符号を付し、同様の構成については詳細な説明を省略する場合がある。具体的には、以下に示すポーリング部３１１、アンテナ３２０、感知部３３０、ブザー３４０以外の機能及び構成、処理が実施の形態１とは異なる。なお、実施の形態６では、実施の形態１と同様に、機器を利用するサービスの一つの様態として画像形成装置を例に挙げ、制御装置を有する画像形成装置をユーザが利用する場合を説明する。
【００７７】
図１１に示すように、制御装置２００ｅは、コントローラ部５００ｂと、非接触通信部３００ｅとを有する。コントローラ部５００ｂは、認証部５１３ｂを有する。コントローラ部５００ｂは、画像形成装置１００ｅの使用認証の認証処理を行なう。認証部５１３ｂは、端末装置から送信された認証情報を利用して画像形成装置１００ｅの使用認証を実行する。また、非接触通信部３００ｅは、ＣＰＵ３１０ｅと、アンテナ３２０と、感知部３３０と、ブザー３４０とを有する。これらのうち、ＣＰＵ３１０ｅは、ポーリング部３１１と、判定部３１２ｅと、報知部３１３ｅと、通信判定部３１４ｅとを有する。また、制御装置２００ｅは、画像形成装置１００ｅに含まれる。
【００７８】
かかる画像形成装置１００ｅは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ｅを使用するための使用認証が行なわれる。
【００７９】
非接触通信部３００ｅは、所定位置に置かれた端末装置と非接触で通信を行なう。ＣＰＵ３１０ｅは、制御装置２００ｅによる非接触通信処理を制御するプロセッサである。上述したように、ポーリング部３１１による処理は、実施の形態１と同様である。また、判定部３１２ｅによる処理については、所定範囲内に人間が存在しないことを表す信号を、後述する通信判定部３１４ｅに対して出力するところが実施の形態１とは異なる。
【００８０】
具体的には、判定部３１２ｅは、ポーリング部３１１によって出力された検出信号をトリガに、感知部３３０からの感知信号の受信待ちの状態に移行する。感知信号の受信待ちの状態は、画像形成装置１００ｅの認証が解除された場合に解除される。すなわち、感知信号の受信待ちの状態は、ユーザがサービスの利用を終了した場合や画像形成装置１００ｅの電源が切断された場合等に解除され得る。そして、判定部３１２ｅは、感知部３３０から感知信号が出力されない場合に、所定範囲内に人間が存在しないと判定する。その後、判定部３１２ｅは、所定範囲内に人間が存在しないことを表す信号を、通信判定部３１４ｅに対して出力する。一方、判定部３１２ｅは、感知部３３０から感知信号が出力された場合に、所定範囲内に人間が存在すると判定する。判定部３１２ｅは、所定範囲内に人間が存在すると判定した場合には通信判定部３１４ｅに対する信号の出力を行なわない。
【００８１】
通信判定部３１４ｅは、画像形成装置１００ｅの使用認証とは異なる用途で端末装置との通信が行なわれているか否かを判定する。より具体的には、通信判定部３１４ｅは、判定部３１２ｅによって所定範囲内に人間が存在しないと判定されたことにより、所定範囲内に人間が存在しないことを表す信号が出力された場合に、画像形成装置１００ｅと端末装置との通信を精査する。かかる通信の精査は、例えば、端末装置が保持するアドレス帳と、画像形成装置１００ｅが保持するアドレス帳とを同期させるため等の、サービスの利用とは異なる用途で、所定位置に端末装置が置かれているかを検出するために行なわれる。
【００８２】
ユーザは、アドレス帳を同期させる用途等で、所定位置に携帯端末を置きっ放しにしたまま所定範囲から離れる可能性がある。このため、アドレス帳の同期等のサービスの利用とは異なる用途で所定位置に端末装置が置かれている場合には、端末装置を置き忘れているわけではないため、警告音等を出力しない方が好ましい。このように、通信判定部３１４ｅは、アドレス帳の同期のための通信中であるか否かを判定する。そして、通信判定部３１４ｅは、使用認証とは異なる用途で端末装置との通信が行なわれていないと判定した場合に、使用認証とは異なる用途で端末装置との通信が行なわれていないことを表す信号を、報知部３１３ｅに対して出力する。一方、通信判定部３１４ｅは、使用認証とは異なる用途で端末装置との通信が行なわれていると判定した場合には報知部３１３ｅに対する信号の出力を行なわない。
【００８３】
報知部３１３ｅは、端末装置が所定位置に置き忘れられていることを報知する。より具体的には、報知部３１３ｅは、通信判定部３１４ｅから、使用認証とは異なる用途で端末装置との通信が行なわれていないと判定されたことを表す信号を受け付けた場合に、ブザー３４０を作動させる制御を行なう。つまり、報知部３１３ｅは、ブザー３４０を作動させて警告音を出力させることにより、端末装置が所定位置に置き忘れられていることを、画像形成装置１００ｅを利用するユーザや周囲に居る人間に報知する。
【００８４】
［実施の形態６に係る全体処理フロー］
次に、図１２を用いて、実施の形態６に係る全体処理の流れについて説明する。図１２は、実施の形態６に係る全体処理の流れの例を示すフローチャートである。
【００８５】
図１２に示すように、ポーリング部３１１は、画像形成装置１００ｅの電源が投入された場合に（ステップＳ６０１：Ｙｅｓ）、アンテナ３２０を介してポーリングを実行する（ステップＳ６０２）。また、画像形成装置１００ｅの電源が投入されない場合には（ステップＳ６０１：Ｎｏ）、電源投入待ちの状態となる。
【００８６】
そして、ポーリング部３１１は、ポーリングの実行によって、端末装置から応答信号を受信したか否かを判定する（ステップＳ６０３）。このとき、ポーリング部３１１は、端末装置から応答信号を受信したと判定した場合に（ステップＳ６０３：Ｙｅｓ）、検出信号を判定部３１２ｅに対して出力する。感知部３３０は、所定範囲内に存在する人間の感知を試みて、人間を感知できた場合に、感知信号を判定部３１２ｅに対して出力する（ステップＳ６０４）。
【００８７】
ポーリング部３１１から検出信号を受け付けた判定部３１２ｅは、感知部３３０から感知信号を受け付けたか否かにより、人間が感知されたか否かを判定する（ステップＳ６０５）。このとき、判定部３１２ｅは、人間が感知されていないと判定した場合に（ステップＳ６０５：Ｎｏ）、所定範囲内に人間が存在しないことを表す信号を通信判定部３１４ｅに対して出力する。判定部３１２ｅから信号を受け付けた通信判定部３１４ｅは、画像形成装置１００ｅと端末装置との通信を精査し、使用認証とは異なる用途で端末装置との通信が行なわれているか否かを判定する（ステップＳ６０６）。
【００８８】
通信判定部３１４ｅは、使用認証とは異なる用途で端末装置との通信が行なわれていないと判定した場合に（ステップＳ６０６：Ｎｏ）、使用認証とは異なる用途で端末装置との通信が行なわれていないことを表す信号を、報知部３１３ｅに対して出力する。報知部３１３ｅは、通信判定部３１４ｅからの信号を受け付けて、ブザー３４０を作動させる制御を行なうことにより、ブザー３４０から警告音を出力させる（ステップＳ６０７）。
【００８９】
また、ポーリング部３１１によって端末装置から応答信号が受信されないと判定された場合（ステップＳ６０３：Ｎｏ）や、判定部３１２ｅによって人間が感知されたと判定された場合（ステップＳ６０５：Ｙｅｓ）には、ステップＳ６０２の処理が再度実行される。また、通信判定部３１４ｅによって使用認証とは異なる用途で端末装置との通信が行なわれていると判定された場合（ステップＳ６０６：Ｙｅｓ）には、報知部３１３ｅに対して信号が出力されることなく処理が終了する。
【００９０】
［実施の形態６による効果］
上述したように、制御装置２００ｅは、端末装置が所定位置に置きっ放しであっても、画像形成装置１００ｅの使用認証とは異なる用途で端末装置との通信が行なわれている場合に、端末装置が所定位置に置き忘れられているわけではないものとする。この結果、制御装置２００ｅは、機器の使用認証のために所定位置に置いた端末装置の置き忘れの防止を精度良く行なうことができる。
【００９１】
（実施の形態７）
上記実施の形態１では、端末装置が所定位置に置かれた状態において、所定範囲内に人間が存在しない場合に、端末装置が置き忘れられていることを、警告音を出力することで報知する場合を説明した。実施の形態７では、所定位置に置き忘れられた端末装置の操作を制限する場合を説明する。
【００９２】
［実施の形態７に係る装置構成］
図１３を用いて、実施の形態７に係る制御装置の構成を説明する。図１３は、実施の形態７に係る制御装置の構成例を示すブロック図である。実施の形態７では、実施の形態１と同様の構成については同一の符号を付し、同様の構成については詳細な説明を省略する場合がある。具体的には、以下に示すポーリング部３１１、報知部３１３、感知部３３０、ブザー３４０以外の機能及び構成、処理が実施の形態１とは異なる。なお、実施の形態７では、実施の形態１と同様に、機器を利用するサービスの一つの様態として画像形成装置を例に挙げ、制御装置を有する画像形成装置をユーザが利用する場合を説明する。
【００９３】
図１３に示すように、制御装置２００ｆは、非接触通信部３００ｆを有する。また、非接触通信部３００ｆは、ＣＰＵ３１０ｆと、アンテナ３２０ｆと、感知部３３０と、ブザー３４０とを有する。これらのうち、ＣＰＵ３１０ｆは、ポーリング部３１１と、判定部３１２ｆと、報知部３１３と、指示部３１５ｆとを有する。また、制御装置２００ｆは、画像形成装置１００ｆに含まれる。
【００９４】
かかる画像形成装置１００ｆは、画像形成装置１００と同様に、ＭＦＰ、若しくは複写機、プリンタ、スキャナ装置、ファクシミリ装置等の画像形成装置である。ユーザは、自身が所有する携帯電話機等の端末装置を所定位置に置く。これにより、画像形成装置１００ｆを使用するための使用認証が行なわれる。
【００９５】
非接触通信部３００ｆは、所定位置に置かれた端末装置と非接触で通信を行なう。ＣＰＵ３１０ｆは、制御装置２００ｆによる非接触通信処理を制御するプロセッサである。上述したように、ポーリング部３１１、報知部３１３、感知部３３０、ブザー３４０による処理は、実施の形態１と同様である。また、判定部３１２ｆによる処理については、所定範囲内に人間が存在しないことを表す信号を、後述する指示部３１５ｆに対して出力するところが実施の形態１とは異なる。また、アンテナ３２０ｆについては、ポーリング部３１１がアンテナ３２０ｆを介してポーリングを実行することは同様である。
【００９６】
具体的には、判定部３１２ｆは、ポーリング部３１１によって出力された検出信号をトリガに、感知部３３０からの感知信号の受信待ちの状態に移行する。感知信号の受信待ちの状態は、画像形成装置１００ｆの認証が解除された場合に解除される。すなわち、感知信号の受信待ちの状態は、ユーザがサービスの利用を終了した場合や画像形成装置１００ｆの電源が切断された場合等に解除され得る。そして、判定部３１２ｆは、感知部３３０から感知信号が出力されない場合に、所定範囲内に人間が存在しないと判定する。その後、判定部３１２ｆは、所定範囲内に人間が存在しないことを表す信号を、報知部３１３に対して出力するとともに、指示部３１５ｆに対して出力する。一方、判定部３１２ｆは、感知部３３０から感知信号が出力された場合に、所定範囲内に人間が存在すると判定する。判定部３１２ｆは、所定範囲内に人間が存在すると判定した場合には報知部３１３と指示部３１５ｆとに対する信号の出力を行なわない。
【００９７】
指示部３１５ｆは、操作を制限する処理を実行するための指示を端末装置に対して行なう。より具体的には、指示部３１５ｆは、判定部３１２ｆから所定範囲内に人間が存在しないことを表す信号を受け付ける。そして、指示部３１５ｆは、操作を制限する設定を行なう指示を、アンテナ３２０ｆを介して端末装置に対して行なう。端末装置の操作を制限する設定とは、例えば、初期画面においてパスワードを入力させる設定や、電話帳やメール等の各種アプリケーションの起動時にパスワード入力を行なわせる設定等である。
【００９８】
つまり、指示部３１５ｆは、上記の設定処理を実行するための指示を端末装置に対して行なうことで、所定位置に置き忘れられた端末装置を所有者ではない第三者に不正に利用させないように、端末装置の操作をロックする。端末装置は、指示部３１５ｆからの操作ロックの指示に応じて設定を行なう。
【００９９】
［実施の形態７に係る全体処理フロー］
次に、図１４を用いて、実施の形態７に係る全体処理の流れについて説明する。図１４は、実施の形態７に係る全体処理の流れの例を示すフローチャートである。
【０１００】
図１４に示すように、ポーリング部３１１は、画像形成装置１００ｆの電源が投入された場合に（ステップＳ７０１：Ｙｅｓ）、アンテナ３２０ｆを介してポーリングを実行する（ステップＳ７０２）。また、画像形成装置１００ｆの電源が投入されない場合には（ステップＳ７０１：Ｎｏ）、電源投入待ちの状態となる。
【０１０１】
そして、ポーリング部３１１は、ポーリングの実行によって、端末装置から応答信号を受信したか否かを判定する（ステップＳ７０３）。このとき、ポーリング部３１１は、端末装置から応答信号を受信したと判定した場合に（ステップＳ７０３：Ｙｅｓ）、検出信号を判定部３１２ｆに対して出力する。感知部３３０は、所定範囲内に存在する人間の感知を試みて、人間を感知できた場合に、感知信号を判定部３１２ｆに対して出力する（ステップＳ７０４）。
【０１０２】
ポーリング部３１１から検出信号を受け付けた判定部３１２ｆは、感知部３３０から感知信号を受け付けたか否かにより、人間が感知されたか否かを判定する（ステップＳ７０５）。このとき、判定部３１２ｆは、人間が感知されていないと判定した場合に（ステップＳ７０５：Ｎｏ）、所定範囲内に人間が存在しないことを表す信号を報知部３１３に対して出力するとともに、指示部３１５ｆに対して出力する。報知部３１３は、判定部３１２ｆからの信号を受け付けて、ブザー３４０を作動させる制御を行なうことにより、警告音を出力する（ステップＳ７０６）。また、指示部３１５ｆは、判定部３１２ｆからの信号を受け付けて、端末装置の操作をロックするための指示を、アンテナ３２０ｆを介して該端末装置に対して行なう（ステップＳ７０７）。
【０１０３】
また、ポーリング部３１１によって端末装置から応答信号が受信されないと判定された場合（ステップＳ７０３：Ｎｏ）や、判定部３１２ｆによって人間が感知されたと判定された場合（ステップＳ７０５：Ｙｅｓ）には、ステップＳ７０２の処理が再度実行される。
【０１０４】
［実施の形態７による効果］
上述したように、制御装置２００ｆは、端末装置が置き忘れられていることを警告音によって報知するとともに、該端末装置の操作をロックさせる指示を行なう。この結果、制御装置２００ｆは、機器の使用認証のために所定位置に置いた端末装置の置き忘れを防止することができるとともに、端末装置の所有者とは異なる第三者が不正に該端末装置を利用することを防止することができる。
【０１０５】
（実施の形態８）
さて、これまで本発明に係る制御装置及び画像形成装置の実施の形態について説明したが、上述した実施の形態以外にも種々の異なる形態にて実施されて良いものである。そこで、（１）端末装置のロック、（２）端末装置側の置き忘れ防止機能の利用、（３）構成、について異なる実施の形態を説明する。
【０１０６】
（１）端末装置のロック
上記実施の形態７では、端末装置が所定位置に置き忘れられている場合に、警告音を出力するとともに、端末装置の操作をロックする場合を説明した。かかる端末装置の操作のロックは、ある程度時間をおいてから行なうようにしても良い。例えば、判定部３１２ｆから所定範囲内に人間が存在しないことを表す信号を受け付けた指示部３１５ｆは、一定時間の経過を待ち、一定時間が経過しても端末装置が取り除かれていなかった場合に、端末装置の操作をロックする指示を行なう。つまり、警告音に気づいたユーザが、一定時間内に端末装置を所定位置から取り除いたのであれば、端末装置がロックされていることはない。このように、ある程度時間をおいてから端末装置のロックを行なわせることで、警告音に気づいたユーザが即座に端末装置を取り除いたときに、端末装置のロックを解除する煩雑な操作をユーザに行なわせないようにすることができる。
【０１０７】
また、上記実施の形態３では、端末装置が所定位置に置き忘れられている場合に、画像形成装置１００ｂの使用認証を解除する場合を説明した。これに加えて、端末装置をロックしても良い。つまり、端末装置が所定位置に置き忘れられている場合には、警告音の出力と、画像形成装置の使用認証の解除と、端末装置の操作のロックとが行なわれることになる。
【０１０８】
また、上記実施の形態６では、所定位置に置かれた端末装置の用途に応じて警告音を出力する場合を説明した。これに加えて、端末装置をロックしても良い。但し、端末装置のロックは、第三者による端末装置の不正利用を防止する目的であるため、所定位置に置かれた端末装置の用途にかかわらず、端末装置が所定位置に置かれた状態でユーザが離れていれば端末装置をロックする。つまり、使用認証とは異なる用途で端末装置との通信が行なわれているか否かにかかわらず、端末装置の操作のロックを行なう。換言すると、端末装置の操作のロックを行ない、使用認証とは異なる用途で端末装置との通信が行なわれているか否かに応じて、警告音を出力させる。
【０１０９】
（２）端末装置側の置き忘れ防止機能の利用
上記実施の形態では、端末装置が所定位置に置かれた状態において、画像形成装置の近傍に人間が存在しない場合に、端末装置が所定位置に置き忘れられていることとして処理した。かかる端末装置の置き忘れについては、該端末装置に搭載された置き忘れ防止機能をさらに利用しても良い。例えば、制御装置側における端末装置の置き忘れの判定と、端末装置側における置き忘れの機能の作動とをトリガとして、警告音を出力させるようにする。ここで、端末装置は、置き忘れの機能が作動すると、置き忘れられていることを制御装置に対して送信することになる。また、警告音の出力は、端末装置に指示することで行なわせても良いし、端末装置への指示は上記トリガをもとに一定時間の経過後に行なうようにしても良い。これらに加えて、端末装置へ操作をロックする指示を行なっても良い。
【０１１０】
（３）構成
上記文書中や図面中等で示した処理手順、制御手順、具体的名称、各種のデータやパラメタ等を含む情報は、特記する場合を除いて任意に変更することができる。例えば、上記実施の形態３では、ブザー３４０を作動させた後に画像形成装置１００ｂの認証を解除する処理手順を説明したが、画像形成装置１００ｂの認証を解除した後にブザー３４０を解除するようにしても良い。
【０１１１】
また、図示した各装置の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況等に応じて、任意の単位で機能的又は物理的に、分散又は統合することができる。例えば、実施の形態７に係る報知部３１３と指示部３１５ｆとを、ブザー３４０を作動させるとともに端末装置の操作をロックする「報知部」として統合しても良い。
【０１１２】
図１５は、上記実施の形態に係るＭＦＰとしての画像形成装置のハードウェア構成を示すブロック図である。なお、図１５に示す操作表示部２０は、オペレーションパネルであり、上述したようにＬＣＤ５２０ｂの代替として利用可能である。図１５に示すように、ＭＦＰは、コントローラ１０と、エンジン部（Engine）６０とを、ＰＣＩ（Peripheral  Component  Interface）バスで接続した構成となる。コントローラ１０は、ＭＦＰ全体の制御と描画、通信、図示しない操作部からの入力を制御するコントローラである。エンジン部６０は、ＰＣＩバスに接続可能なプリンタエンジン等であり、例えば白黒プロッタ、１ドラムカラープロッタ、４ドラムカラープロッタ、スキャナ又はファックスユニット等である。なお、エンジン部６０には、プロッタ等のいわゆるエンジン部分に加えて、誤差拡張やガンマ変換等の画像処理部分が含まれる。
【０１１３】
コントローラ１０は、ＣＰＵ１１と、ノースブリッジ（NB）１３と、システムメモリ（MEM−P）１２と、サウスブリッジ（SB）１４と、ローカルメモリ（MEM−C）１７と、ＡＳＩＣ（Application  Specific  Integrated  Circuit）１６と、ハードディスクドライブ（HDD）１８とを有し、ノースブリッジ１３とＡＳＩＣ１６との間をＡＧＰ（Accelerated  Graphics  Port）バス１５で接続した構成となる。また、ＭＥＭ−Ｐ１２は、ＲＯＭ（Read  Only  Memory）１２ａと、ＲＡＭ（Random  Access  Memory）１２ｂとをさらに有する。
【０１１４】
ＣＰＵ１１は、ＭＦＰの全体制御を行なうものであり、ノースブリッジ１３、ＭＥＭ−Ｐ１２及びサウスブリッジ１４からなるチップセットを有し、このチップセットを介して他の機器と接続される。
【０１１５】
ノースブリッジ１３は、ＣＰＵ１１とＭＥＭ−Ｐ１２、サウスブリッジ１４、ＡＧＰバス１５とを接続するためのブリッジであり、ＭＥＭ−Ｐ１２に対する読み書き等を制御するメモリコントローラと、ＰＣＩマスタ及びＡＧＰターゲットとを有する。
【０１１６】
ＭＥＭ−Ｐ１２は、プログラムやデータの格納用メモリ、プログラムやデータの展開用メモリ、プリンタの描画用メモリ等として用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリ等として用いる書き込み及び読み出し可能なメモリである。
【０１１７】
サウスブリッジ１４は、ノースブリッジ１３とＰＣＩデバイス、周辺デバイスとを接続するためのブリッジである。このサウスブリッジ１４は、ＰＣＩバスを介してノースブリッジ１３と接続されており、このＰＣＩバスには、ネットワークインタフェース（Ｉ／Ｆ）部等も接続される。
【０１１８】
ＡＳＩＣ１６は、画像処理用のハードウェア要素を有する画像処理用途向けのＩＣ（Integrated  Circuit）であり、ＡＧＰバス１５、ＰＣＩバス、ＨＤＤ１８及びＭＥＭ−Ｃ１７をそれぞれ接続するブリッジの役割を有する。このＡＳＩＣ１６は、ＰＣＩターゲット及びＡＧＰマスタと、ＡＳＩＣ１６の中核をなすアービタ（ARB）と、ＭＥＭ−Ｃ１７を制御するメモリコントローラと、ハードウェアロジック等により画像データの回転等を行なう複数のＤＭＡＣ（Direct  Memory  Access  Controller）と、エンジン部６０との間でＰＣＩバスを介してＦＣＵ（Facsimile  Control  Unit）３０、ＵＳＢ（Universal  Serial  Bus）４０、ＩＥＥＥ１３９４（the  Institute  of  Electrical  and  Electronics  Engineers  1394）インタフェース５０が接続される。操作表示部２０は、ＡＳＩＣ１６に直接接続されている。
【０１１９】
ＭＥＭ−Ｃ１７は、コピー用画像バッファ、符号バッファとして用いるローカルメモリであり、ＨＤＤ（Hard  Disk  Drive）１８は、画像データの蓄積、プログラムの蓄積、フォントデータの蓄積、フォームの蓄積を行なうためのストレージである。
【０１２０】
ＡＧＰバス１５は、グラフィック処理を高速化するために提案されたグラフィックスアクセラレータカード用のバスインタフェースである。また、ＡＧＰ１５は、ＭＥＭ−Ｐ１２に高スループットで直接アクセスすることにより、グラフィックスアクセラレータカードを高速にするものである。
【符号の説明】
【０１２１】
１００  画像形成装置
２００  制御装置
３００  非接触通信部
３１０  ＣＰＵ
３１１  ポーリング部
３１２  判定部
３１３  報知部
３２０  アンテナ
３３０  感知部
３４０  ブザー
【先行技術文献】
【特許文献】
【０１２２】
【特許文献１】特開２０１０−１５４０３０号公報
【特許文献２】特許第４５３５９４６号公報
【特許文献３】特許第４８５５０６３号公報
【図１】
2014179810.tif 000003
【図２】
2014179810.tif 000004
【図３】
2014179810.tif 000005
【図４】
2014179810.tif 000006
【図５】
2014179810.tif 000007
【図６】
2014179810.tif 000008
【図７】
2014179810.tif 000009
【図８】
2014179810.tif 000010
【図９】
2014179810.tif 000011
【図１０】
2014179810.tif 000012
【図１１】
2014179810.tif 000013
【図１２】
2014179810.tif 000014
【図１３】
2014179810.tif 000015
【図１４】
2014179810.tif 000016
【図１５】
2014179810.tif 000017